(57)【要約】【課題】ベランダにネットを張り、防鳥効果を確保しながら、手摺に、洗濯物やふとんなどを干したりする日常生活での利便性や、ネットによる圧迫感を改善した快適性を持たせ、さらに各種タイプのベランダ構造に適用できるネット取付装置を提供することを目的とする。【解決手段】本発明の防鳥ネット取付装置は、ベランダ等における鳥類侵入防止用の防鳥ネット取付装置に関するものであって、ベランダ手摺壁９の両端上部に固定される支柱（２）と、前記支柱（２）間の内側に配設され、前記ベランダ手摺壁９の前面に延伸アーム（２１ｃ）を介して垂直に取付られたポール（２０）と、を有し、前記支柱（２）間の上下それぞれの間にネット吊りワイヤー（４１、４２）を掛け渡し、前記上下のネット吊りワイヤー（４１，４２）間に、前記ポール（２０）を覆うようにネットを張設することを特徴とする。【選択図】図１
2006037650.tif 000002
【特許請求の範囲】
【請求項１】
ベランダ等における鳥類侵入防止用の防鳥ネット取付装置に関するものであって、
ベランダ手摺壁９の両端上部に固定される支柱（２）と、前記支柱（２）間の内側に配設され、前記ベランダ手摺壁９の前面に延伸アーム（２１ｃ）を介して垂直に取付られたポール（２０）と、を有し、前記支柱（２）間の上下それぞれの間にネット吊りワイヤー（４１、４２）を掛け渡し、前記上下のネット吊りワイヤー（４１，４２）間に、前記ポール（２０）を覆うようにネットを張設することを特徴とする防鳥ネット取付装置。
【請求項２】
ベランダ等における鳥類侵入防止用の防鳥ネット取付装置に関するものであって、
ベランダ手摺壁９の両端上部に固定される支柱（２）と、前記支柱（２）間の内側に配設され、ベランダ手摺格子柵９ｃの前面に延伸アーム（３１ｃ）を介して垂直に取付られたポール（３１）と、を有し、前記支柱（２）間の上下それぞれの間にネット吊りワイヤー（４１、４２）を掛け渡し、前記上下のネット吊りワイヤー（４１，４２）間に、前記ポール（３１）を覆うようにネットを張設することを特徴とする防鳥ネット取付装置。
【請求項３】
前記延伸アーム（２１ｃ、３１ｃ）が、前記ベランダ手摺壁９に対し、直角方向と並行方向との間を回動自在に設置されていることを特徴とする請求項２又は３に記載の防鳥ネット取付装置。
【請求項４】
ベランダ等における鳥類侵入防止用の防鳥ネット取付装置に関するものであって、
ベランダ手摺壁９の両端上部に固定される支柱（２）と、前記支柱（２）の前面に突き出しアーム（１２）を介して垂直に取付られたポール（１１）と、を有し、前記ポール（１１）の上下それぞれの間にネット吊りワイヤー（４１、４２）を掛け渡し、前記上下のネット吊りワイヤー（４１，４２）間にネットを張設することを特徴とする防鳥ネット取付装置。
【発明の詳細な説明】
【技術分野】
【０００１】
本発明は、集合住宅などの建築物に付設されたベランダやバルコニー内への鳥類侵入防止用の防鳥ネット取付装置に関するものである。
【背景技術】
【０００２】
従来からベランダ内に鳥類が飛着することによる特に糞害、植物被害、騒音被害を防止するため、ベランダ開口部周囲にネットを張ることが行われている。特に、集合住宅などに広く用いられているベランダの構造は、図６に示すように、ベランダ前面に形成されている手摺形状が単純な矩形状のもの（図６（ａ））、ベランダの中央部が特定の幅をもって突き出ているもの（図６（ｂ））などがある。
【０００３】
特開２００３−２３９５１号公報（特許文献１参照）では、ベランダ手摺内面に接して床と天井の間に伸縮自在のポールを立て中間部で手摺とホルダーで固定するネット取付装置が開示されている。
実開昭６４−５７２０２号公報（特許文献２参照）には、手摺上部に固定した支柱に可撓性材料からなるネットを張る構造が開示されている。
【特許文献１】特開２００３−２３９５１
【特許文献２】実開昭６４−５７２０２号公報
【発明の開示】
【発明が解決しようとする課題】
【０００４】
しかし、特許文献１に記載のネット取付装置においては、ベランダ内側にネットを張ることはベランダ面積を狭くするばかりでなく、ネットの外側になる手摺には鳥が飛着し、糞公害、騒音公害を招く。さらに、ベランダが手狭になることによる圧迫感によりベランダ本来の役割を減じている。また、ベランダ手摺上面にふとんなどを干すことなどができない。
また、特許文献２の構造では、支柱が、手摺の上面あるいはベランダ手摺格子柵に固定具を配設し固定されるが、ベランダ手摺上面にふとん干しの空間を確保できない。
上記のように、従来技術はもっぱらベランダ周囲をネット面で覆うことを主眼としているので、ネット面の圧迫感によりベランダの開放感が失われるとともに、洗濯物を干したりふとんを干したりすることが出来ず、日常生活での利便性や快適性に配慮したものではない。
また、ベランダの構造には手摺がコンクリート壁、格子柵などのタイプがあり、また、ベランダ手摺壁が一部にあるもの、直線状ではないもの、あるいは中央部が外方に突き出たものなど、様々な形状が存在する。
本発明は、ベランダにネットを張り、防鳥効果を確保しながら、手摺に、洗濯物やふとんなどを干したりする日常生活での利便性や、ネットによる圧迫感を改善した快適性を持たせ、さらに各種タイプのベランダ構造に適用できるネット取付装置を提供することを目的とする。
【課題を解決するための手段】
【０００５】
本発明の請求項１に記載の防鳥ネット取付装置は、ベランダ等における鳥類侵入防止用の防鳥ネット取付装置に関するものであって、ベランダ手摺壁９の両端上部に固定される支柱（２）と、前記支柱（２）間の内側に配設され、前記ベランダ手摺壁９の前面に延伸アーム（２１ｃ）を介して垂直に取付られたポール（２０）と、を有し、前記支柱（２）間の上下それぞれの間にネット吊りワイヤー（４１、４２）を掛け渡し、前記上下のネット吊りワイヤー（４１，４２）間に、前記ポール（２０）を覆うようにネットを張設することを特徴とする。
【０００６】
請求項２に記載の防鳥ネット取付装置は、ベランダ等における鳥類侵入防止用の防鳥ネット取付装置に関するものであって、ベランダ手摺壁９の両端上部に固定される支柱（２）と、前記支柱（２）間の内側に配設され、ベランダ手摺格子柵９ｃの前面に延伸アーム（３１ｃ）を介して垂直に取付られたポール（３１）と、を有し、前記支柱（２）間の上下それぞれの間にネット吊りワイヤー（４１、４２）を掛け渡し、前記上下のネット吊りワイヤー（４１，４２）間に、前記ポール（３１）を覆うようにネットを張設することを特徴とする。
【０００７】
請求項３に記載の防鳥ネット取付装置は、請求項２又は３において、前記延伸アーム（２１ｃ、３１ｃ）が、前記ベランダ手摺壁９に対し、直角方向と並行方向との間を回動自在に設置されていることを特徴とする。
【０００８】
請求項４に記載の防鳥ネット取付装置は、ベランダ等における鳥類侵入防止用の防鳥ネット取付装置に関するものであって、ベランダ手摺壁９の両端上部に固定される支柱（２）と、前記支柱（２）の前面に突き出しアーム（１２）を介して垂直に取付られたポール（１１）と、を有し、前記ポール（１１）の上下それぞれの間にネット吊りワイヤー（４１、４２）を掛け渡し、前記上下のネット吊りワイヤー（４１，４２）間にネットを張設することを特徴とする。
【発明の効果】
【０００９】
本発明の防鳥ネット取付装置は、タイプの異なるベランダ構造やベランダ手摺構造に対応して、防鳥ネットを張ることが可能で、さらに、ベランダ手摺をふとんなどの物干しとして使用できる利便性があるとともに、一般に狭いベランダ空間の圧迫感、閉塞感を軽減する効果をもたらすことができる。
【発明を実施するための最良の形態】
【００１０】
以下、本発明の実施形態を図1〜７に基づいて詳細に説明する。
図１は、本発明の防鳥ネット取付装置をベランダに取り付けた実施形態を説明する斜視図である。図２は、本発明の防鳥ネット取付装置をベランダに取り付けた他の実施形態を説明する斜視図である。図３は、本発明の防鳥ネット取付装置をベランダに取り付けた他の実施形態を説明する説明図である。図４は、手摺壁に延伸アームを介してポールを取り付けた態様を示す側面図である。図５は、ベランダ手摺格子柵に延伸アームを介してポールを取り付けた態様を示す側面図である。図６は、支柱の前面に突き出しアームを介してポールを取り付けた態様を示す側面図である。図７は、アームを保持鞘管に枢着させた場合の固定機構を説明する斜視図である。図８は、各種ベランダの構造ベランダ手摺タイプに、防鳥ネットを取り付ける態様を示す平面図である。
【００１１】
（実施形態１）
図１に、本発明の実施形態１の防鳥ネット取付装置をベランダに取り付けた状態を示す。
実施形態１の防鳥ネット取付装置は、ベランダ手摺壁９の両端上部に固定される支柱（２）と、支柱（２）間の内側に配設され、前記ベランダ手摺壁９の前面に延伸アーム（２１ｃ）を介して垂直に取付られたポール（２０）と、を有し、支柱（２）間の上下それぞれの間にネット吊りワイヤー（４１、４２）を掛け渡し、上下のネット吊りワイヤー（４１，４２）間に、ポール（２０）を覆うようにネット４０を張設する。
【００１２】
図４は、ポール２０の側面図である。ネット４０を手摺壁９から浮かすためのポール２０は、中間部の延伸アーム（２１ｃ）の先端が上方へ折り曲げられて上方折曲部２１ａを形成するとともに、延伸アーム（２１ｃ）の下端が下方へ折り曲げられて下方折曲部２１ｂを形成している。
ポール２０の上方折曲部２１ａは、ネット４０をベランダに張設した場合にネット内に覆われるとともにネット４０をベランダの前方へ浮かすとともに、ポール２０の下方折曲部２１ｂは保持鞘管２２内に枢着され、ベランダ手摺壁９に固定される。上方折曲部２１ａの長さは、特に規定する物ではないが、ネット４０の高さ寸法よりも短い適宜の寸法とすることにより、ネット４０を上方に余裕をもって浮かすことが出来る。
一方、下方折曲部２１ｂは、保持鞘管２２での抜けや回動規制にための突起止め金２３が固着されており、保持鞘管２２に設けられた貫通溝２４に挿入されている。
【００１３】
図７（ａ）を用いて、コの字状の貫通溝２４と突起止め金２３との組合せによるポール２０の固定と回動角度の変更を説明する。
保持鞘管２２の管胴側面には、下向きコの字状に貫通した貫通溝２４が設けられており、ポールの延伸アーム２１ｃがベランダ手摺壁９の外方直角に突き出ている状態（Ａ方向）では、突起止め金２３は、貫通溝２４の第１縦溝２３ａに挿入されており、延伸アーム２１ｃは保持鞘管２２内において水平に回動することは出来ない。
ところが、延伸アーム２１ｃを上方に僅か持ち上げ、ベランダ手摺壁９に平行方向（Ｂ方向）に９０°回動して突起止め金２３を、第１縦溝２３ａから第２縦溝２３ｂの位置に移動させると、延伸アーム２１ｃをベランダ手摺壁９に対して平行位置で固定することが出来る。
【００１４】
また、実施形態１においては、上方折曲部２１ａがネット４０を浮かすためにネット面と接触する部位ではほぼネット面と平行になるようにネットが張設される。上方折曲部２１ａの長さはネット網目の大きさ以上であれば特に特定するものではないが、上方に向かって長いほどネット浮かしによりベランダに形成される空間が拡がり、ネット張設によるベランダの圧迫感が軽減される。
【００１５】
コの字状の貫通溝２４の両端の第１及び第２の縦溝同士の間隔は、管胴部円周のほぼ４分の１の長さに等しく、各溝と管胴断面円の中心を結ぶ線の角度は互いに９０°としている。そして、保持鞘管２２が、ベランダ手摺壁９を跨ぐように取り付けられたクランプ６に接合固着されている状態では、第１縦溝２３ａはベランダ手摺壁９に対して直角な方向に向いて形成されており、第２縦溝２３ｂは、平行に向いて形成されている。
したがって、延伸アーム２１ｃがベランダ手摺壁９に直角に突き出ている状態において、コの字状の第１縦溝２３ａで突起止め金２３が固定され、次にこの突起止め金２３が第２縦溝２３ｂに配置されるように回動移行した状態では、延伸アーム２１ｃは９０°向きを変え、ベランダ手摺壁９に平行に折り畳まれた状態となる。
【００１６】
ベランダ手摺壁９の長手方向（Ｂ方向）幅の両端に固定されたポール２に張設されたネット４０に対して、ベランダ手摺壁９から外方に突出た延伸アーム２１ｃの長さは少なくともふとんの厚み以上に設定される。
これにより、ベランダ手摺壁９の前面にネット４０を張設することにより防鳥効果を確保しながら、日常生活で手摺に洗濯物、ふとんを干したりする利便性や、ネットによる圧迫感を改善する快適性を得ることができる。
なお、ふとん干しに好適なスペースをベランダ手摺壁９前面に設けることができる。また、ポールは、必要ないときは簡単にベランダ手摺壁９に沿って折り畳み、かつ固定することができる。
【００１７】
（実施形態２）
次に、図２に、本発明の実施形態２の防鳥ネット取付装置をベランダに取り付けた状態を示す。
実施形態２の防鳥ネット取付装置は、ベランダ手摺壁９の両端上部に固定される支柱（２）と、前記支柱（２）間の内側に配設され、ベランダ手摺格子柵９ｃの前面に延伸アーム（３１ｃ）を介して垂直に取付られたポール（３１）と、を有し、前記支柱（２）間の上下それぞれの間にネット吊りワイヤー（４１、４２）を掛け渡し、前記上下のネット吊りワイヤー（４１，４２）間に、前記ポール（３１）を覆うようにネットを張設する。
実施形態２の防鳥ネット取付装置は、実施形態１の防鳥ネット取付装置と略同様の構成を有するものであるが、以下の点において異なっている。
【００１８】
図５は、実施形態２の防鳥ネット取付装置に用いられるベランダ手摺格子柵用スペーサー３０の側面図である。
ポール３１は、上方折曲部３１ａ、延伸アーム３１ｃ及び下方折曲部３１ｂから構成されており、下方折曲部３１ｃの長さは、ベランダ手摺格子柵９ｃの高さにほぼ合致させている。したがって、ベランダ手摺格子柵９ｃを覆っているネット４０を浮かすことが出来る。また、ネット４０自体を一対の下方折曲部３１ｃの間に張設することにより、ベランダ手摺格子柵９ｃの隙間からの鳥などの侵入を防止できる。
【００１９】
図７（ｂ）に示すように、保持鞘管３２は、ベランダ手摺格子格子柵９ｃに固定するための外面固定板３６ｂの外面側に接合固着されている。この外面固定板３６ｂは固定用ナット３５ａ、固定用ボルト３５ｂをもつ内面固定板３６ａによりベランダ手摺格子柵９ｃに固定される。
実施形態２の防鳥ネット取付装置も実施形態１の装置と同じく、ベランダ開口部前面にネットを張設することにより防鳥効果を確保しながら、日常生活で、手摺に洗濯物、ふとんを干したりする利便性や、ネットによる圧迫感を改善する快適性をも得ることを実現するものである。実施形態２の取付装置は、特にベランダ手摺格子柵においてネットを離間させることができることを特徴としている。
【００２０】
実施形態２の防鳥ネット取付装置においては、図５に示すように、ネット４０を外方に浮かすためのポール３１の中間部から分岐し直角に取付けられた延伸アーム３１ｃの先端がさらに直角下方に折り曲げられ下方折曲部３１ｂを形成し、下方折曲部３１ｂが保持鞘管３２に枢着されている。
さらに、保持鞘管３２は外面固定板３６ｂに接合固着されており、内面固定板３６ａとの間でベランダ手摺格子柵９ｃに、ボルト締め等の手段で固定されている。
実施形態２の保持鞘管３２も、実施形態１で説明したような貫通溝３４が形成されており、同様にポール３１の向きの変更や固定が可能となっている。
ベランダ手摺格子柵９ｃの前面に隙間をあけてネット４０を張設でき、ベランダ手摺格子柵９ｃにふとんなどを干すことができるとともに、防鳥の効果も確保することが出来る。
さらに、このポール３１をベランダ手摺格子柵９ｃに対して直角な方向で固定でき、不要時にはベランダ手摺格子柵９ｃに沿って折り畳み固定することが出来る。
【００２１】
実施形態２の防鳥ネット取付装置は、延伸アーム３１ｃ長さを少なくともふとん厚み以上にすることにより、ふとんや洗濯物干しなどに好適なスペースをベランダ前面外方に確保することができる。
ポール３１の下方部分の長さは、ベランダ手摺格子柵９ｃ高さに対応した長さとすることが望ましく、このポール下方部分をネットで覆うことにより、ベランダ手摺格子柵９ｃの間隙からの鳥などの侵入を防止できる。
【００２２】
（実施形態３）
図３は、本発明の実施形態３の防鳥ネット取付装置をベランダに取り付けた状態を示す。図３（ａ）は平面図（上面図）であり、（ｂ）は斜視図である。
実施形態３の防鳥ネット取付装置は、ベランダ手摺壁９の両端上部に固定される支柱（２）と、前記支柱（２）の前面に突き出しアーム（１２）を介して垂直に取付られたポール（１１）と、を有し、前記ポール（１１）の上下それぞれの間にネット吊りワイヤー（４１、４２）を掛け渡し、前記上下のネット吊りワイヤー（４１，４２）間にネット（４０）を張設する。
【００２３】
また、図６は、実施形態３の防鳥ネット取付装置のベランダ手摺壁９への取付態様の側面図を示したものであり、ベランダ手摺壁９上面から天井９ａまでのベランダ開口部に支柱２を配設し、さらに、支柱２の上端と天井９ａとの間には自在座版３が設けられ、支柱２の回動によっても連れ回りすることなく天井９ａ面に静止し支柱２により押圧固定されるようにされている。
また、支柱２の下部にはネジ切り部４が設けてあり、ベランダ手摺壁９を跨ぐように取り付けられたクランプ６上面に固着されたアジャスター鞘管５内に、支柱２の長さ機能を有して螺合できるようになっている。
クランプ６の下方には、ベランダ手摺壁９上部に跨いで固着できるように、押圧座板８を先端にもつ固定用ボルト７を有しており、ベランダ手摺壁９の壁面を押圧する。
【００２４】
さらに、実施形態３の防鳥ネット取付装置は、上下一対の突き出しアーム１２により、支柱２に平行して、ポール１１を取付した構造となっている。
実施形態３の防鳥ネット取付装置は、図８（ｂ）に示すような、ベランダ中央部の大部分が外方に突き出たベランダ手摺壁９構造の場合において、ベランダ両端の手摺壁９ｂに固定してネットをベランダ開口部の最前面に沿って覆うようにネットを張る場合に好適である。
【００２５】
実施形態３においては、ポール１１の上下にそれぞれ管継手１３を配設し、支柱２との間に突き出しアーム１２を直角に取り付ける。管継手１３に、突き出しアーム固定用ビス１３ａ、ポール固定用ビス１３ｂが設けられており、ポール１１と突き出しアーム１２をそれぞれ固定できるようになっている。この固定用ビス１３ａ、１３ｂに代えて、接着剤法、溶接法等による固着法も適宜用いることも出来る。突き出しアーム１２の他方端には、フリー管受１４が一体的に接合されており、支柱２又はアジャスター鞘管５と枢着されている。
さらに、このフリー管受１４は、任意の上下設定位置で支柱２又はアジャスター鞘管５への固定用の固定ボルト１５を有している。
【００２６】
以上、本発明の実施の形態の一例を図面に基づいて説明したが、本発明はこれに限定されるものではなく様々な態様で実施できるものである。
【産業上の利用可能性】
【００２７】
本発明の防鳥ネット取付装置は、ベランダにネットを張り、防鳥効果を確保しながら、手摺に、洗濯物やふとんなどを干したりする日常生活での利便性や、ネットによる圧迫感を改善した快適性を持たせ、さらに各種タイプのベランダ構造に適用できるネット取付装置を提供できる。
【図面の簡単な説明】
【００２８】
【図１】本発明の防鳥ネット取付装置をベランダに取り付けた実施形態を説明する斜視図である。
【図２】本発明の防鳥ネット取付装置をベランダに取り付けた他の実施形態を説明する斜視図である。
【図３】本発明の防鳥ネット取付装置をベランダに取り付けた他の実施形態を説明する説明図である。
【図４】手摺壁に延伸アームを介してポールを取り付けた態様を示す側面図である。
【図５】ベランダ手摺格子柵に延伸アームを介してポールを取り付けた態様を示す側面図である。
【図６】支柱の前面に突き出しアームを介してポールを取り付けた態様を示す側面図である。
【図７】アームを保持鞘管に枢着させた場合の固定機構を説明する斜視図である。
【図８】各種ベランダの構造ベランダ手摺タイプに、防鳥ネットを取り付ける態様を示す平面図である。
【符号の説明】
【００２９】
２  支柱
３  自在座版
４  ネジ切り部
５  アジャスター鞘管
６  クランプ
７  固定用ボルト
８  押圧座板
９  ベランダ手摺壁
９ａ  天井
９ｂ  ベランダ両端の手摺壁
９ｃ  ベランダ手摺格子柵
１１  ポール
１２  突き出しアーム
１３  管継手
１３ａ  突き出しアーム固定用ビス
１３ｂ  ポール固定用ビス
１４  フリー管受
１５  固定ボルト
２０  ポール
２１ａ  上方折曲部
２１ｂ  下方折曲部
２１ｃ  延伸アーム
２２  保持鞘管
２３  突起止め金
２３ａ  第１縦溝
２３ｂ  第２縦溝
２４  貫通溝
３０  手摺格子柵用スペーサー
３１  ポール
３１ａ  上方折曲部
３１ｂ  下方折曲部
３１ｃ  延伸アーム
３２  保持鞘管
３４  貫通溝
３５ａ  固定用ナット
３５ｂ  固定用ボルト
３６ａ  内面固定板
３６ｂ  外面固定板
４０  ネット
４１、４２  ネット吊りワイヤー
【図１】
2006037650.tif 000003
【図２】
2006037650.tif 000004
【図３】
2006037650.tif 000005
【図４】
2006037650.tif 000006
【図５】
2006037650.tif 000007
【図６】
2006037650.tif 000008
【図７】
2006037650.tif 000009
【図８】
2006037650.tif 000010